(57)【要約】      （修正有）【課題】履用中にほどけを起こしは困る靴紐や、結んだり束ねたりした場合にほどけを起こすことを嫌う梱包用紐或いは太さが比較的細い救助・訓練用紐等に使用する非伸縮性芯入り織糸紐を新規に提供することを目的とする。【解決手段】滑り止め機能を備えたモノフィラメント裸糸を非伸縮性マルチフィラメント糸に組み合わせて作った織糸を使用して織成された組紐層を、長手方向と平行の揃え状態にされた非伸縮性芯糸の外周に被覆し、両端には上記組紐層の端部と芯糸の端部の相互固定用端止部材３，４が設けられたことを特徴とする。【選択図】図１
0003115270.tif 000002
【実用新案登録請求の範囲】
【請求項１】
滑り止め機能を備えたモノフィラメント裸糸を非伸縮性マルチフィラメント糸に組み合わせて作った織糸を使用して織成された組紐層を、長手方向と平行の揃え状態にされた非伸縮性芯糸の外周に被覆して成ることを特徴とする非伸縮性芯入り織糸紐。
【請求項２】
上記モノフィラメント裸糸が、使用時に結び目を形成する個所の表面に点在配置の露呈状態にして設けられたことを特徴とする請求項１記載の非伸縮性芯入り織糸紐。
【請求項３】
上記モノフィラメント裸糸が、合成ゴム若しくは生ゴムの裸糸であることを特徴とする請求項１又は２記載の非伸縮性芯入り織糸紐。
【請求項４】
上記モノフィラメント裸糸が、ポリウレタンの裸糸であることを特徴とする請求項３記載の非伸縮性芯入り織糸紐。
【請求項５】
請求項１ないし４のいずれかに記載の非伸縮性芯入り織糸紐により紐部が構成され、当該紐部の両端に上記組紐層の端部と芯糸の端部の相互固定用端止部が設けられたことを特徴とする靴紐。
【請求項６】
請求項５記載の靴紐を備えたことを特徴とする靴。
【請求項７】
請求項１ないし４のいずれかに記載の非伸縮性芯入り織糸紐により紐部が構成され、当該紐部の両端に上記組紐層の端部と芯糸の端部の相互固定用端止部が設けられたことを特徴とする包装用紐。
【請求項８】
請求項１ないし４のいずれかに記載の非伸縮性芯入り織糸紐により紐部が構成され、当該紐部の両端に上記組紐層の端部と芯糸の端部の相互固定用端止部が設けられたことを特徴とする救助・訓練用紐。
【考案の詳細な説明】
【技術分野】
【０００１】  本考案は、非伸縮性マルチフィラメント糸と滑り止め機能を備えたモノフィラメント裸糸からなる織糸を使用して織成された非伸縮性の組紐層を非伸縮性芯糸に被覆した非伸縮性芯入り織糸紐及びこれを使用した靴紐及び包装用紐並びに救助・訓練用紐に関する。具体的には履用中にほどけを起こしは困る靴紐や、結んだり束ねたりした場合にほどけを起こすことを嫌う梱包用紐或いは太さが比較的細い救助・訓練用紐等に使用する非伸縮性芯入り織糸紐に関するものである。【０００２】  従前、伸びない性質つまり非伸縮性を備えたものと称して流通している織糸製品は、現実的には、繊維の性質上多少は伸びるものである。しかしながら、この程度の伸びは、需要者も自然伸び又は常識的伸びとして無視しているのが現状である。このような現状に鑑み、本考案も、自然伸び又は常識的伸びを備えたものを非伸縮性を備えたものとすることにする。
【背景技術】
【０００３】  従来、この種の織糸紐は、種々の構造のもが汎用されているが、本考案の理解を容易にするのに好適であるので、ここでは靴紐を例に挙げて説明する。【０００４】  すなわち、スポーツシューズ、スニーカー、ウオーキングシューズ、ビジネスシューズ、その他の靴における靴紐は、その殆どが、伸びない非伸縮性織糸だけ（滑り止め機能を備えたモノフィラメント裸糸を使用していない）で織成されたもの（以下、これを本文中では第１従来例という）であり、つま先側の鳩目穴から順次挿し通し、そして履き口すなわち足首に近いところでリボン結び（蝶結び）などにして締めつけ、よって靴を足にフィットさせる要領で使用されていた。【０００５】  しかしながら、上記第１従来例に係る靴紐の締め方では、以下のような諸問題点があった。【０００６】  先ず第１に、靴紐の結び目が運動中または歩行中の気づかないうちに緩んだり、ほどけたりしてしまう場合があって、そのたび毎に当該靴紐を締め直したり、結び直したりしなければならないという面倒くささがあるなどの問題があった。【０００７】  第２に、靴紐がほどけたことに気づかずに歩行していたために、ほどけた靴紐の遊端部分を自分若しくは他人が踏みつけて転倒してしまう危険性が往々にあり、ときには不測の大事故を惹起するに至る等の問題があった。【０００８】  また、第３に、スポーツの競技者が競技中に靴紐が緩んで、若しくはほどけてプレーミスを起こしたり、プレーを中断せざるを得ずに順位を下げたりして悔しい思いをする問題もあった。【０００９】  そこで、本考案者は、先般、「特許文献１」により開示されているような、芯材無しの靴紐（以下、これを本文中では第２従来例という）を提案した。この第２従来例は、滑り止め機能を備えたモノフィラメント裸糸を組み込んで上記の緩みやほどけを解消する構成にしたことにより、ほぼ完全に近い効果を得ることができ、多くの賞賛を得て広く利用されている。しかしながら、上記従前無視していた伸び量が製品毎に微妙に異なることから、使う人の使い方、結び方が必ずしも一定しないこともあって、充分には満足できていないユーザーも比較的多いことも事実であった。【００１０】  そこでさらに、本考案者は、上記ユーザーにも充分満足できる靴紐の研究・開発を行った。その結果、本発明を提供できるに至ったものである。【００１１】  なお、本考案者は、上記靴紐の研究・開発を行う段階において、靴紐とほぼ同様の製造方法を行えば、結んだり束ねたりした場合に緩みやほどけを起こすことを嫌う梱包用紐や、太さが比較的細い救助・訓練用紐等に使用して好ましい結果を生む紐をも実施できるこを偶然知り、合わせて提供することにした。
【特許文献１】  特開２００５−５２６１４号公報
【考案の開示】
【考案が解決しようとする課題】
【００１２】  本考案は、上記従前無視していた伸び量に左右されない若しくはされ難い新規の非伸縮性芯入り織糸紐及びこれを使用した靴紐及び包装用紐並びに救助・訓練用紐を提供することを目的とする。
【課題を解決するための手段】
【００１３】  上記目的を達成するために、請求項１に係る非伸縮性芯入り織糸紐は、滑り止め機能を備えたモノフィラメント裸糸を非伸縮性マルチフィラメント糸に組み合わせて作った織糸を使用して織成された組紐層を、長手方向と平行の揃え状態にされた非伸縮性芯糸の外周に被覆したものである。【００１４】  すなわち、請求項１に係る非伸縮性芯入り織糸紐は、その使用にあたってリボン結び（蝶結び）等の結び目が形成されたときには、非伸縮性の組紐層における非伸縮性マルチフィラメント糸と非伸縮性芯糸とが、全体の伸びを阻止するために機能し、またモノフィラメント裸糸が結び目の緩み及びほどけを解消するために滑り止め機能を発揮する。【００１５】  また、上記請求項１に係る非伸縮性芯入り織糸紐にあって、芯糸は、直線的状態を呈して、また非伸縮性マルチフィラメント糸は、蛇行状態を呈して完成品に存在することになる。つまり、完成品の単位長さにおける上記従前無視していた伸び量は、直線的で短くなっている方の芯糸が短くなった分に相応して極端に少なく、蛇行して長くなっている方の非伸縮性マルチフィラメント糸が多いことが容易に理解できる。そして、上記請求項１に係る非伸縮性芯入り織糸紐の上記従前無視していた伸び量は、構造上、組紐層の上記従前無視していた伸び量ではなく、芯材により決定される。【００１６】  したがって、上記従前無視していた伸び量が蛇行して長くなっている方の非伸縮性マルチフィラメント糸により決定されていた上記従来例２の芯材無し靴紐に対して、上記従前無視していた伸び量が芯材により決定される本考案に係る非伸縮性芯入り織糸紐の方が、構造上、極端に少なくなることが判る。【００１７】  請求項２に係る非伸縮性芯入り織糸紐は、請求項１記載の非伸縮性芯入り織糸紐に関し、上記モノフィラメント裸糸が、使用時に結び目を形成する個所の表面に点在配置の露呈状態にして設けられたものである。【００１８】  請求項３に係る非伸縮性芯入り織糸紐は、請求項１又は２記載の非伸縮性芯入り織糸紐に関し、上記モノフィラメント裸糸が、合成ゴム若しくは生ゴムの裸糸であることを特徴とするものである。【００１９】  請求項４に係る非伸縮性芯入り織糸紐は、請求項３記載の非伸縮性芯入り織糸紐に関し、上記モノフィラメント裸糸が、ポリウレタンの裸糸であることを特徴とするものである。【００２０】  請求項５に係る靴紐は、上記請求項１ないし４のいずれかに記載の非伸縮性芯入り織糸紐により紐部が構成され、当該紐部の両端に上記組紐層の端部と芯糸の端部の相互固定用端止部が設けられたものである。【００２１】  請求項６に係る靴は、請求項５記載の靴紐を備えたことを特徴とするものである。【００２２】  請求項７に係る梱包用紐は、上記請求項１ないし４のいずれかに記載の非伸縮性芯入り織糸紐により紐部が構成され、当該紐部の両端に上記組紐層の端部と芯糸の端部の相互固定用端止部が設けられたものである。【００２３】  請求項８に係る救助・訓練用紐は、上記請求項１ないし４のいずれかに記載の非伸縮性芯入り織糸紐により紐部が構成され、当該紐部の両端に上記組紐層の端部と芯糸の端部の相互固定用端止部が設けられたものである。
【考案の効果】
【００２４】  請求項１に係る非伸縮性芯入り織糸紐は、滑り止め機能を備えたモノフィラメント裸糸を非伸縮性マルチフィラメント糸に組み合わせて作った織糸を使用して織成された組紐層を、長手方向と平行の揃え状態にされた非伸縮性芯糸の外周に被覆して成るので、非伸縮性芯糸を長手方向と平行の揃え状態にしておいて当該非伸縮性芯糸の外周に、非伸縮性マルチフィラメント糸と滑り止め機能を備えたモノフィラメント裸糸とを組み合わせて作られた織糸を使用して非伸縮性の組紐層を織成する方法により容易に製造できる。【００２５】  また、請求項１に係る非伸縮性芯入り織糸紐は、上記組紐層が非伸縮性マルチフィラメント糸と非伸縮性芯糸とにより伸びないように若しくは伸びにくいようにされるは勿論であるが、上記したように、上記従前無視していた伸び量が芯材により決定されて構造上極端に少ないので、上記従前無視していた伸び量に左右されない若しくはされ難くい利点を有するものである。したがって、上記従前無視していた伸び量に左右されない若しくはされ難い新規の非伸縮性芯入り織糸紐を提供するという所期の目的を完全に達成できる。【００２６】  請求項２に係る非伸縮性芯入り織糸紐は、上記モノフィラメント裸糸が、使用時に結び目を形成する個所の表面に点在配置の露呈状態となるようにして設けられたので、使用状態中に緩んだり、ほどけたりした状態にならないようにする機能をより高めることができる。【００２７】  請求項３に係る非伸縮性芯入り織糸紐は、上記モノフィラメント裸糸が、合成ゴム若しくは生ゴムの裸糸であることを特徴とするので、低コストで簡単且つ容易に実施できる。【００２８】  請求項４に係る非伸縮性芯入り織糸紐は、裸糸が、ポリウレタンであることを特徴とするので、低コストで簡単且つ容易に実施できる。【００２９】  請求項５に係る靴紐は、上記請求項１ないし４のいずれかに記載の非伸縮性芯入り織糸紐により紐部が構成され、当該紐部の両端に上記組紐層の端部と芯糸の端部の相互固定用端止部が設けられたことを特徴とするので、歩行中に緩んだり、ほどけたりした状態にならない若しくはなり難い利点、及び、上記従前無視していた伸び量に左右されない若しくはされ難い利点を有する新規の靴紐を提供できる。【００３０】  請求項６に係る靴は、請求項５に係る靴紐を備えたことを特徴とするので、当該靴紐が、歩行中に緩んだりほどけたりした状態にならない若しくはなり難い利点及び上記従前無視していた伸び量に左右されない若しくはされ難い利点を有する新規の靴を提供できる。【００３１】  請求項７に係る梱包用紐は、上記請求項１ないし４のいずれかに記載の非伸縮性芯入り織糸紐により紐部が構成され、当該紐部の両端に上記組紐層の端部と芯糸の端部の相互固定用端止部が設けられたので、使用状態中に緩んだり、ほどけたりした状態にならない若しくはなり難い利点、及び、上記従前無視していた伸び量に左右されない若しくはされ難い利点を有する緩んだり、ほどけたりした状態にならない若しくはなり難い新規の梱包用紐を提供できる。【００３２】  請求項８に係る救助・訓練用紐は、上記請求項１ないし４のいずれかに記載の非伸縮性芯入り織糸紐により紐部が構成され、当該紐部の両端に上記組紐層の端部と芯糸の端部の相互固定用端止部が設けられたので、救助・訓練中に緩んだり、ほどけたりした状態にならない若しくはなり難い利点、及び、上記従前無視していた伸び量に左右されない若しくはされ難い利点を有する緩んだり、ほどけたりした状態にならない若しくはなり難い新規の救助・訓練用紐を提供できる。
【考案を実施するための最良の形態】
【００３３】  以下、本考案に係る非伸縮性芯入り織糸紐の実施の形態を図面に基づいて説明する。【００３４】  まず、図１〜図３は、本考案に係る非伸縮性芯入り織糸紐の実施の形態の一つである断面がやや扁平形状になっている靴紐１を示すものである。【００３５】  上記靴紐１は、紐部２と当該紐部２の両端に取り付けられた端止部材３、４により構成されている。【００３６】  上記紐部２は、次のようにして製造されている。すなわち、非伸縮性を備えたポリエステル製芯糸５の多数本を引き揃えて緊張の状態に維持して断面形状がやや扁平形状の芯構成部６を形成しつつ当該芯構成部６の周りに、非伸縮性を備えたポリエステル製マルチフィラメント糸７と滑り止め機能を果たす伸縮性を備えたポリウレタン製モノフィラメント裸糸８とをほぼ９対１の割合となる本数配分で組み込んだ多数本の織糸９を用いて組紐層１０を設けることにより長尺の非伸縮性織糸紐（図示せず）を完成し、この完成された長尺の織糸紐を所定の長さに切り取って製造されている。【００３７】  なお、上記芯糸５及びマルチフィラメント糸７は、性質上全く伸びないものではなく常識的範囲内で多少は伸びるものであるが、本願では非伸縮性を備えたものとしている。したがって、これら芯糸５、マルチフィラメント糸７は、完成時には、非伸縮性を備えている組紐層１０により被覆された非伸縮性織糸紐を形成することになる。【００３８】  また、端止部材３、４は、上記紐部２の両方の端個所１２にあって、上記組紐層１０の端部１３及び芯糸５の端部１４を強く銜え止めるものである。すなわち、当該銜え止めにより、これら端部１３、１４を相互固定して解れを防止する機能及び靴１６の紐通し用鳩目穴１７への挿し通し操作を容易にする機能を確実に果しうるようにしてあるものである。なお、これら端部の相互固定は、接着、その他等で行うことは自由である。【００３９】  上記靴紐１は、これを靴１６に取り付けたとき（図５参照）には、ポリウレタンのモノフィラメント裸糸８が鳩目穴１７の切縁に圧接して、より緩みにくくし、ほどけにくくなって好都合である。【００４０】  また、上記請求項１に係る非伸縮性芯入り織糸紐は、上記したとおり、非伸縮性を備えたポリエステル製芯糸の多数本が揃えられた緊張の状態に維持されたままで製造加工しうるので、結果とし芯糸５は直線的状態を呈して完成された上記従前無視していた伸び量が少ない状態に仕上ゲルことができる。【００４１】  次に、図６〜図８は、本考案に係る芯入り織糸紐の他の実施の形態である断面が丸型になっている救助・訓練用紐として利用できる細い太さのロープ２１を示すものである。【００４２】  このロープ２１は、次のようにして製造されている。すなわち、非伸縮性を備えたポリエステル製芯糸２２の多数本を揃えて緊張の状態に維持して断面形状が丸型の芯構成部２３を形成しつつ当該芯構成部２３の周りに、上記実施の形態と同様の構成になる多数本の織糸９を用いて組紐層２４を設けることによって製造されている。【００４３】  上記ロープ２１の両方の端部は、上記組紐層２４の端部２５及び芯糸２２の端部２６を強く銜え止める端止部材２７，２８により相互固定してある。すなわち、当該衡え止めにより、こ��ら端部２７、２８の解れを防止してある。なお、これら端部の相互固定は、接着、その他等で行うことは自由である。【００４４】  上記した、ポリエステルのマルチフィラメント糸７とポリウレタンのモノフィラメント裸糸８との本数配分は、素材の硬さ、伸び率等特性あるいは紐の織り方等により決まるものであるので、本考案の実施に際しては上記９対１に拘る必要はなく、ポリウレタンのモノフィラメント裸糸８を１本も入れていない織糸９と１本以上入れた織糸９との組み合わせで組紐層１０、２４を織ることもあれば、もう少し本数を多く若しくは少なくすることで実施することも可能であることはいうまでもない。要するに、実験等を行なって満足できる本数のモノフィラメント裸糸８を程よく編みこむことが大事であって、これによって緩み、ほどけを最大限起し難くすべきである。【００４５】  なお、裸糸８は、組紐層１０、２４の外表面に凸状に織り出されていることがより有効である。この凸状織り出し状態は、織糸９を構成する前に、ポリウレタンのモノフィラメント裸糸８をポリエステルのマルチフィラメント糸８に予め絡ませて置くことで簡単に実施できる。このようにすることは、組紐層１０、２４の外表面に凸状織り出し部（図中符号２９により示している多数の黒点参照）ができて有効であるのみならずモノフィラメント裸糸８の太さを替えることによって凸状織り出し部の高さを変えることができる。つまり、滑り止め機能の強弱は、モノフィラメント裸糸８の本数、太さ及び絡ませ方を適宜選択実施することで用途に合った製品を容易に提供できる。【００４６】  なお、本考案に係る非伸縮性芯入り織糸紐は、ブラジャー、キャミソール、スリップ等衣類の肩紐に使用しうる構成にしても実施できる。また、組紐層を構成する糸及び芯糸に消臭機能を備えた消臭糸を用いることが好ましい。さらに、芯糸には木綿糸又はテトロン糸等を用いること等は任意である。さらに、本考案に係る非伸縮性芯入り織糸紐は、アパレル、介護用品、その他の部品として使用されている紐に転用することができるものであり、この種の紐にも本考案は及ぶものである。
【図面の簡単な説明】
【００４７】
【図１】本考案に係る第１実施の形態を示す一部省略正面図である。
【図２】同じく紐部の構成を示す説明図である。
【図３】図２Ａ−Ａ線に沿う拡大切断端面図である。
【図４】織糸の構成を示す説明図である。
【図５】本考案に係る第２実施の形態の一部を示す斜視図である。
【図６】本考案に係る第３実施の形態を示す一部省略正面図である。
【図７】同じく紐部の構成を示す説明図である。
【図８】図７Ｂ−Ｂ線に沿う拡大切断端面図である。
【符号の説明】
【００４８】  １  靴紐
２  紐部
３、４  端止部材
５  芯糸
６  芯構成部
７  マルチフィラメント糸
８  モノフィラメント裸糸
９  織糸
１０  組紐層
１２  端個所
１３、１４  端部
１６  靴
１７  鳩目穴
２１  ロープ
２２  芯糸
２３  芯構成部
２４  組紐層
２５、２６  端部
２７、２８  端止部材
２９  凸状織り出し部
【図１】
0003115270.tif 000003
【図２】
0003115270.tif 000004
【図３】
0003115270.tif 000005
【図４】
0003115270.tif 000006
【図８】
0003115270.tif 000007
【図５】
0003115270.tif 000008
【図６】
0003115270.tif 000009
【図７】
0003115270.tif 000010